(57)【要約】      （修正有）【課題】風防板を有する各種形式の平型ショーケースにおいて、陳列されている商品を冷やすための冷気により風防板が冷やされて結露が生じることを簡単な構造で防止する。【解決手段】上部に矩形状の開口４が形成された箱状の本体ケース３と、本体ケース内に設けられ、内部に商品陳列室６を有する箱状の内側ケース５と、本体ケースと内側ケースとの間に設けられ、一端に開口の長手方向に沿った冷気吹出口１０が形成されるとともに他端に開口の長手方向に沿った冷気吸込口１１が形成され、内部を冷気が流れる断面形状略Ｕ字形の循環ダクト７と、本体ケースの上端部に冷気吹出口の長手方向に沿って立設された取付部材１４と、取付部材に取付けられて冷気吹出口の長手方向に沿って立設された風防板１９と、を有し、取付部材に、冷気吹出口と風防板との間に位置して冷気吹出口の長手方向に沿って延出した長尺状のスリットが形成されている。【選択図】図１
2017192488.tif 000002
【特許請求の範囲】
【請求項１】
上部に矩形状の開口が形成された箱状の本体ケースと、
前記本体ケース内に設けられ、内部に商品陳列室を有する箱状の内側ケースと、
前記本体ケースと前記内側ケースとの間に設けられ、一端に前記開口の長手方向に沿って開口された冷気吹出口が形成されるとともに他端に前記開口の長手方向に沿って開口された冷気吸込口が形成され、内部を冷気が流れる断面形状略Ｕ字形の循環ダクトと、
前記本体ケースの上端部に前記冷気吹出口の長手方向に沿って立設された取付部材と、
前記取付部材に取付けられて前記冷気吹出口の長手方向に沿って立設された風防板と、
を有し、
前記取付部材に、前記冷気吹出口と前記風防板との間に位置して前記冷気吹出口の長手方向に沿って延出した長尺状のスリットが形成されていることを特徴とする平型ショーケース。
【発明の詳細な説明】
【技術分野】
【０００１】
本発明は、上部に商品出し入れ用の開口を有し、冷凍食品やアイスクリーム等の商品を陳列する平型ショーケースに関する。
【背景技術】
【０００２】
従来、スーパーマーケットやコンビニエンスストア等の店舗では、冷凍食品やアイスクリーム等の商品を陳列する機器として、平型ショーケースが使用されている。平型ショーケースは、断熱材で形成された箱状の本体ケースを有し、本体ケースの上部に商品を出し入れするための開口が形成されている。また、本体ケースの内側には箱状の内側ケースが設けられ、内側ケースの内部が商品陳列室とされている。
【０００３】
本体ケースと内側ケースとの間には断面形状略Ｕ字形の循環ダクトが形成され、この循環ダクト内に冷気を流すことにより商品陳列室内の商品を冷やしている。循環ダクト内を流れる冷気は、循環ダクトの一端に形成された冷気吹出口から吹き出し、冷気吹出口から吹き出した冷気は商品陳列室の上方を流れた後に循環ダクトの他端に形成された冷気吸込口から循環ダクト内に吸い込まれるようになっている。
【０００４】
本体ケースの上端側であって開口を囲む位置には、冷気吹出口から吹き出して冷気吸込口に向かう冷気の流れを保護する風防板が取付けられている。この風防板が冷気により冷やされると風防板の外側面に結露が生じ、結露した水滴が流れて落ちて平型ショーケースの外周面や平型ショーケースが設置されている床面を濡らすという問題が生じている。
【０００５】
そこで、風防板の結露を防止する機構を備えた平型ショーケースとして、例えば、下記特許文献１に記載されているものが知られている。この特許文献１に記載されている風防板の結露防止機構は、風防板の外側面に沿う空気の流れを発生させ、この空気の流れにより風防板の結露を防止している。
【先行技術文献】
【特許文献】
【０００６】
【特許文献１】特開２００２−７８５７７号公報
【発明の概要】
【発明が解決しようとする課題】
【０００７】
しかしながら、特許文献１に記載されている結露防止機構では、陳列されている商品を冷やすための冷気の流れと結露防止のための空気の流れとが混合しないようにするため、平型ショーケースの上部に天板を備えることが必要であり、天板を備えていない形式の平型ショーケースではこの結露防止機構を採用することはできない。
【０００８】
本発明は、このような課題を解決するためになされたものであり、その目的は、風防板を有する各種形式の平型ショーケースにおいて、陳列されている商品を冷やすための冷気により風防板が冷やされて結露が生じることを簡単な構造で防止することができる平型ショーケースを提供することである。
【課題を解決するための手段】
【０００９】
本発明に係る平型ショーケースは、上部に矩形状の開口が形成された箱状の本体ケースと、前記本体ケース内に設けられ、内部に商品陳列室を有する箱状の内側ケースと、前記本体ケースと前記内側ケースとの間に設けられ、一端に前記開口の長手方向に沿って開口された冷気吹出口が形成されるとともに他端に前記開口の長手方向に沿って開口された冷気吸込口が形成され、内部を冷気が流れる断面形状略Ｕ字形の循環ダクトと、前記本体ケースの上端部に前記冷気吹出口の長手方向に沿って立設された取付部材と、前記取付部材に取付けられて前記冷気吹出口の長手方向に沿って立設された風防板と、を有し、前記取付部材に、前記冷気吹出口と前記風防板との間に位置して前記冷気吹出口の長手方向に沿って延出した長尺状のスリットが形成されている。
【発明の効果】
【００１０】
本発明に係る平型ショーケースによれば、冷気吹出口から吹き出す冷気により取付部材における冷気吹出口に面している部分が冷やされる。しかし、この取付部材には、冷気吹出口と取付部材に取付けられた風防板との間に位置して冷気吹出口の長手方向に沿った長尺状のスリットが形成されている。そして、このスリットにより取付部材における熱の伝わりが抑制され、取付部材におけるスリットが形成されている部分より外側の部分、及び、取付部材に取付けられている風防板は冷気により冷やされることが抑制される。これにより、取付部材におけるスリットより外側部分や風防板に結露が生じることを防止することができ、しかも、この結露防止を取付部材に長尺状のスリットを形成するという簡単な構造により行うことができる。
【図面の簡単な説明】
【００１１】
【図１】本発明の一実施形態の平型ショーケースを示す断面側面図である。
【図２】取付部材と風防板との取付構造を示す断面側面図である。
【図３】取付部材を示す平面図である。
【発明を実施するための形態】
【００１２】
本発明の一実施形態について、図面に基づいて説明する。図１は平型ショーケース１を示す断面側面図であり、この平型ショーケース１は、台座部２と、台座部２上に載置された箱状の本体ケース３とを有している。台座部２内には、冷気を生成する冷凍装置の構成要素である圧縮機や凝縮器等が収容されている。本体ケース３は断熱材により形成され、本体ケース３の上部には矩形状の開口４が形成されている。
【００１３】
本体ケース３内には、上部が開放された箱状の内側ケース５が設けられている。内側ケース５の内部は、商品が陳列される商品陳列室６とされている。
【００１４】
本体ケース３と内側ケース５との間には、断面形状が略Ｕ字形状をした循環ダクト７が形成されている。循環ダクト７内には、冷凍装置の構成要素の一部である冷却器８と、冷却器８に向けて送風する送風ファン９とが配置されている。冷却器８の周囲の空気は冷却器８により冷やされて冷気となり、この冷気は送風ファン９が駆動されることにより循環ダクト７内を矢印で示す方向に送風されるようになっている。循環ダクト７の一端には、循環ダクト７内を送風された冷気が循環ダクト７外に吹き出す冷気吹出口１０が形成されている。循環ダクト７の他端には、冷気吹出口１０から吹き出した冷気が矢印で示すように商品陳列室６の上方を流れた後に循環ダクト７内に吸込まれる冷気吸込口１１が形成されている。これらの冷気吹出口１０と冷気吸込口１１とは、開口４の周縁部であって開口４の長手方向に沿った位置に形成されている。また、冷気吹出口１０には、後述するように吹出口カウンタ１２と整流板１３とが設けられている。
【００１５】
本体ケース３の上端部であって冷気吹出口１０の長手方向に沿った位置には、取付部材１４が立設されている。取付部材１４は、外周部分に金属製の外枠１４ａを有し、外枠１４ａの内部には、内側に寄った位置に断熱材１５が設けられ、外側に寄った位置に取付部材１４を暖める防露ヒータ１６（図２参照）が設けられている。また、取付部材１４には、冷気吹出口１０から吹き出す冷気の向きを冷気吸込口１１側に向ける吹出口カウンタ１２と、冷気吹出口１０から吹き出す冷気の流れを整流する整流板１３とが取付けられている。吹出口カウンタ１２には、この吹出口カウンタ１２が冷気により冷やされることを防止するための断熱板１７とヒータ１８とが設けられている。
【００１６】
さらに、取付部材１４の上端部には、冷気吹出口１０から吹き出して冷気吸込口１１側に向かう冷気の流れを保護する風防板であるガラス風防１９が冷気吹出口１０の長手方向に沿って立設されている。ガラス風防１９は、二枚のガラス板１９ａの間にスペーサ１９ｂを挟んで構成されている。
【００１７】
取付部材１４の外枠１４ａの上端側であって冷気吹出口１０とガラス風防１９の取付位置との間には、図２及び図３に示すように、冷気吹出口１０の長手方向に沿って延出した長尺状のスリット２０が形成されている。
【００１８】
本体ケース３の上端部であって冷気吸込口１１の長手方向に沿った位置には、冷気吹出口１０から吹き出して冷気吸込口１１に吸込まれる冷気の流れを保護するガラス風防２１が立設されている。このガラス風防２１は、冷気吹出口１０側のガラス風防１９と同様に二枚のガラス板をスペーサを挟んで固定することにより形成されている。また、本体ケース３の上端部における開口４の周縁部であって冷気吹出口１０や冷気吸込口１１と直交する位置には、ガラス風防２１と同じ構造のガラス風防（図示せず）が立設されている。
【００１９】
このような構成において、この平型ショーケース１では、商品陳列室６に商品が陳列された状態で、冷凍装置と送風ファン９とが駆動される。
【００２０】
冷凍装置が駆動されることにより、循環ダクト７内の空気が冷却器８により冷やされて冷気となり、この冷気は送風ファン９が駆動されることにより送風され、図１の矢印で示すように循環ダクト７内を流れる。
【００２１】
循環ダクト７内を流れた冷気は、冷気吹出口１０から吹出し、矢印で示すように商品陳列室６の上方を流れて冷気のエアカーテンを形成した後、冷気吸込口１１から循環ダクト７内に吸込まれる。
【００２２】
取付部材１４の外枠１４ａにおける循環ダクト７に面している部分は、循環ダクト７内を流れる冷気により冷やされる。しかし、この外枠１４ａにはスリット２０が形成されているため、外枠１４ａにおける循環ダクト７に面している部分が冷やされても、外枠１４ａにおけるスリット２０より外側部分は冷やされることが抑制される。したがって、外枠１４ａにおけるスリット２０より外側の部分、及び、取付部材１４におけるスリット２０より外側の部分に取付けられているガラス風防１９は、循環ダクト７内を流れる冷気により冷やされることが抑制され、結露の発生が防止されている。
【００２３】
このようにして、取付部材１４の外枠１４ａにスリット２０を形成するという簡単な構造により、外枠１４ａにおけるスリット２０より外側の部分やガラス風防１９に結露が生じることを防止することができ、結露した水滴が流れ落ちて平型ショーケース１の外周面や平型ショーケース１が設置されている床面を濡らすという問題を防止することができる。
【００２４】
しかも、取付部材１４の外枠１４ａにスリット２０を形成することにより結露を防止することは、特定の形式の平型ショーケースに限定されることなく、ガラス風防１９を有する各種の平型ショーケースにおいて適用することができる。
【００２５】
また、防露ヒータ１６を設けることにより、取付部材１４の外枠１４ａにおけるスリット２０より外側部分に結露が生じることをより一層確実に防止することができるが、スリット２０を形成して外枠１４ａにおけるスリット２０より外側部分が冷やされることを抑制しているため、防露ヒータ１６の発熱量を抑えて省エネを図ることができる。
【符号の説明】
【００２６】
１    平型ショーケース
２    台座部
３    本体ケース
４    開口
５    内部ケース
６    商品陳列室
７    循環ダクト
８    冷却器
９    送風ファン
１０    冷気吹出口
１１    冷気吸込口
１２    吹出口カウンタ
１３    整流板
１４    取付部材
１４ａ  外枠
１５    断熱材
１６    防露ヒータ
１７    断熱板
１８    ヒータ
１９    ガラス風防（風防板）
２０    スリット
２１    ガラス風防
【図１】
2017192488.tif 000003
【図２】
2017192488.tif 000004
【図３】
2017192488.tif 000005